(57)【要約】  表示装置の周囲の環境変化に応じて画面が自然に見えるように、表示装置の表示画質を変化させる。  照度変化検出部（２１）は、照度検出部（１１）〜（１４）から照度の検出値を取得し、各照度検出部によって検出された照度が一の照度範囲（Ｒ１）から他の照度範囲（Ｒ２）に変化したかを検出する。画質制御部（２３）は、照度検出部（１１）〜（１４）のうちの少なくとも１つによって検出された照度が照度範囲（Ｒ１）から照度範囲（Ｒ２）に変化したとき、表示画像の画質補正量を照度範囲（Ｒ１）に対応する補正量（Ａ１）から照度範囲（Ｒ２）に対応する補正量（Ａ２）に変化させるタイミングを、検出した照度が照度範囲（Ｒ１）から照度範囲（Ｒ２）に変化した照度検出部の個数に応じて異なるタイミングとする。
2012073325.tif 000002
【特許請求の範囲】
【請求項１】
画像を表示する表示部と、
前記表示部における画質を補正する画質補正部と、
前記表示部の外部における照度をそれぞれ検出する複数の照度検出部から照度の検出値を取得し、各照度検出部によって検出された照度が一の照度範囲から他の照度範囲に変化したかを検出する照度変化検出部と、
前記照度変化検出部による検出結果に基づき、前記複数の照度検出部のうちの少なくとも１つによって検出された照度が前記一の照度範囲から前記他の照度範囲に変化したとき、前記画質補正部での画質補正量を前記一の照度範囲に対応する画質補正量から前記他の照度範囲に対応する画質補正量に変化させるタイミングを、検出した照度が前記一の照度範囲から前記他の照度範囲に変化した照度検出部の個数に応じて異なるタイミングとする画質制御部と、
を有することを特徴とする画像表示装置。
【請求項２】
前記画質制御部は、前記複数の照度検出部のすべてが、照度が前記一の照度範囲から前記他の照度範囲に変化したことを検出した場合より、前記複数の照度検出部のうちの一部が、照度が前記一の照度範囲から前記他の照度範囲に変化したことを検出した場合の方が、前記画質補正部での画質補正量が前記他の照度範囲に対応する画質補正量となるまでの時間を長くすることを特徴とする請求の範囲第１項記載の画像表示装置。
【請求項３】
前記複数の照度検出部のうち少なくとも１つの照度検出部によって検出された照度が、前記一の照度範囲に一定時間含まれる第１の状態から前記他の照度範囲に一定時間含まれる第２の状態に変化したとき、前記画質制御部は、前記画質補正部による画質補正量を前記他の照度範囲に対応する画質補正量に変化させるタイミングを、前記第１の状態と前記第２の状態との照度差に応じてさらに異なるタイミングとすることを特徴とする請求の範囲第１項または第２項記載の画像表示装置。
【請求項４】
前記画質制御部は、前記第１の状態と前記第２の状態との照度差が小さいほど、前記画質補正部での画質補正量が前記他の照度範囲に対応する画質補正量となるまでの時間を長くすることを特徴とする請求の範囲第３項記載の画像表示装置。
【請求項５】
前記照度変化検出部は、さらに、各照度検出部によって検出された照度が前記一の照度範囲から前記他の照度範囲に変化するまでの変化時間を検出し、
前記画質制御部は、前記複数の照度検出部のうちの少なくとも１つによって検出された照度が前記一の照度範囲から前記他の照度範囲に変化したとき、前記画質補正部での画質補正量を前記他の照度範囲に対応する画質補正量に変化させるタイミングを、前記照度変化検出部によって検出された、照度が前記一の照度範囲から前記他の照度範囲に変化するまでの変化時間に応じてさらに異なるタイミングとする、
ことを特徴とする請求の範囲第１項〜第４項のいずれか１項に記載の画像表示装置。
【請求項６】
前記画質制御部は、前記照度変化検出部によって検出された、照度が前記一の照度範囲から前記他の照度範囲に変化するまでの変化時間が長いほど、前記画質補正部での画質補正量が前記他の照度範囲に対応する画質補正量となるまでの時間を長くすることを特徴とする請求の範囲第５項記載の画像表示装置。
【請求項７】
前記画質制御部は、前記画質補正部での画質補正量が前記他の照度範囲に対応する画質補正量となるまでの第１の変化時間を、前記照度変化検出部によって検出された、照度が前記一の照度範囲から前記他の照度範囲に変化するまでの第２の変化時間以上の長さとすることを特徴とする請求の範囲第６項記載の画像表示装置。
【請求項８】
前記画質制御部は、前記第２の変化時間が長いほど、前記第１の変化時間と前記第２の変化時間との差分を大きくすることを特徴とする請求の範囲第７項記載の画像表示装置。
【請求項９】
前記照度変化検出部は、さらに、各照度検出部によって検出された照度が上昇したか低下したかを判定し、
前記画質制御部は、前記複数の照度検出部のすべてが、照度が前記一の照度範囲から前記他の照度範囲に変化したことを検出したとき、前記照度変化検出部による判定結果に基づき、前記複数の照度検出部によって検出された照度が上昇した場合より低下した場合の方が、前記画質補正部での画質補正量が前記他の照度範囲に対応する画質補正量となるまでの時間を長くする、
ことを特徴とする請求の範囲第１項〜第８項のいずれか１項に記載の画像表示装置。
【請求項１０】
前記照度変化検出部は、さらに、各照度検出部によって検出された照度が前記一の照度範囲から前記他の照度範囲に変化するまでの変化時間を検出し、
前記画質制御部は、前記複数の照度検出部のすべてが、照度が前記一の照度範囲から前記他の照度範囲に変化したことを検出し、かつ、前記照度変化検出部によって検出された前記変化時間が所定の値以下のとき、前記照度変化検出部による判定結果に基づき、前記複数の照度検出部によって検出された照度が上昇した場合より低下した場合の方が、前記画質補正部での画質補正量が前記他の照度範囲に対応する画質補正量となるまでの時間を長くする、
ことを特徴とする請求の範囲第９項記載の画像表示装置。
【請求項１１】
前記画質制御部は、前記複数の照度検出部のうちの少なくとも１つによって検出された照度が前記一の照度範囲から前記他の照度範囲に変化したとき、前記画質補正部での画質補正量を前記他の照度範囲に対応する画質補正量まで連続的に変化させることを特徴とする請求の範囲第１項〜第１０項のいずれか１項に記載の画像表示装置。
【請求項１２】
前記画質制御部は、前記複数の照度検出部のうちの少なくとも１つによって検出された照度が前記一の照度範囲から前記他の照度範囲に変化したとき、前記画質補正部での画質補正量を、所定の遅延量だけ遅延させて前記他の照度範囲に対応する画質補正量に変化させるとともに、前記画質補正部での画質補正量を前記他の照度範囲に対応する画質補正量に変化させるまでの遅延量を、検出した照度が前記一の照度範囲から前記他の照度範囲に変化した照度検出部の個数に応じて異なる遅延量とすることを特徴とする請求の範囲第１項〜第１０項のいずれか１項に記載の画像表示装置。
【請求項１３】
前記複数の照度検出部を一体に備えたことを特徴とする請求の範囲第１項〜第１２項のいずれか１項に記載の画像表示装置。
【請求項１４】
表示装置の外部における照度をそれぞれ検出する複数の照度検出部から照度の検出値を取得し、各照度検出部によって検出された照度が一の照度範囲から他の照度範囲に変化したかを検出する照度変化検出部と、
前記照度変化検出部による検出結果に基づき、前記複数の照度検出部のうちの少なくとも１つによって検出された照度が前記一の照度範囲から前記他の照度範囲に変化したとき、前記表示画像の画質補正量を前記一の照度範囲に対応する画質補正量から前記他の照度範囲に対応する画質補正量に変化させるタイミングを、検出した照度が前記一の照度範囲から前記他の照度範囲に変化した照度検出部の個数に応じて異なるタイミングとする画質制御部と、
を有することを特徴とする表示制御装置。
【請求項１５】
表示制御装置が、表示装置の外部における照度をそれぞれ検出する複数の照度検出部から照度の検出値を取得して、各前記照度検出部によって検出された照度が一の照度範囲から他の照度範囲に変化したかを検出し、
前記表示制御装置が、前記複数の照度検出部のうちの少なくとも１つによって検出された照度が前記一の照度範囲から前記他の照度範囲に変化したとき、前記表示装置に表示させる表示画像の画質補正量を前記一の照度範囲に対応する画質補正量から前記他の照度範囲に対応する画質補正量に変化させるタイミングを、検出した照度が前記一の照度範囲から前記他の照度範囲に変化した照度検出部の個数に応じて異なるタイミングとする、
ことを特徴とする表示制御方法。
【発明の詳細な説明】
【技術分野】
【０００１】
本発明は、画像表示装置、表示制御装置および表示制御方法に関する。
【背景技術】
【０００２】
液晶ディスプレイなどの表示装置の画面は、周囲が明るすぎると見えにくくなる。特に、カーナビゲーションシステムのディスプレイなど、屋外で使用される表示装置では、周囲の明るさの変動量が大きいため、画面が見えにくくなりやすい。そこで、表示装置の周囲の照度を照度センサで検出し、照度センサの検出結果に応じて画面の明るさを調節することで、画面を常に見やすくする技術が知られている。【０００３】
照度センサの検出結果に応じて画面の明るさを調節する技術の例としては、複数の照度センサからの検出値に基づいて、液晶ディスプレイのバックライトの明るさを変化させるか否かを決定することで、照度が一時的に変化した際にバックライトの明るさを不自然に変化させないようにしたものがある。また、他の例として、照度センサからの検出値に基づき、瞬時に暗くなった場合にはバックライトを緩やかに暗くし、瞬時に明るくなった場合にはバックライトを速く明るくすることで、人間の視覚の順応性に合わせて明るさを変化させるものもある。
【先行技術文献】
【特許文献】
【０００４】
【特許文献１】特開２００５−１２１９９７号公報
【特許文献２】特開２００７−９４０９７号公報
【特許文献３】特開平７−１１７５５９号公報
【発明の概要】
【発明が解決しようとする課題】
【０００５】
ところで、表示装置の周囲の照度は、表示装置の周囲の環境の変化によって様々に変化し得る。そして、周囲の環境の変化の仕方によって、画面が見やすくなるように表示装置を調整する適切な調整方法も異なる。例えば、晴天や曇天の環境からトンネルや屋内駐車場などの暗い環境に急激に変化する場合と、晴天の環境から雲や建築物の陰に入るような場合とでは、人間から見て自然に見えるような画面調整の変化の仕方は異なると考えられる。従って、このような様々な周囲の環境下で常に画面が自然に見えるように、表示装置を調整することが望まれる。【０００６】
本発明はこのような課題に鑑みてなされたものであり、表示装置の周囲の環境変化に応じて画面が自然に見えるように表示画質を変化させることが可能な画像表示装置、表示制御装置および表示制御方法を提供することを目的とする。
【課題を解決するための手段】
【０００７】
上記課題を解決するために、表示部、画質補正部、照度変化検出部および画質制御部を有する画像表示装置が提供される。この画像表示装置において、表示部は、画像を表示し、画質補正部は、表示部における画質を補正する。照度変化検出部は、表示部の外部における照度をそれぞれ検出する複数の照度検出部から照度の検出値を取得し、各照度検出部によって検出された照度が一の照度範囲から他の照度範囲に変化したかを検出する。画質制御部は、画質補正部での画質補正量を変化させる。この画質制御部は、照度変化検出部による検出結果に基づき、複数の照度検出部のうちの少なくとも１つによって検出された照度が一の照度範囲から他の照度範囲に変化したとき、画質補正部での画質補正量を上記の一の照度範囲に対応する画質補正量から上記の他の照度範囲に対応する画質補正量に変化させるタイミングを、検出した照度が上記の一の照度範囲から上記の他の照度範囲に変化した照度検出部の個数に応じて異なるタイミングとする。【０００８】
また、上記課題を解決するために、上記の画像表示装置が備える照度変化検出部および画質制御部と同様の処理を行う処理部を備えた表示制御装置が提供される。
さらに、上記課題を解決するために、上記の表示制御装置と同様の処理を行う表示制御方法が提供される。
【発明の効果】
【０００９】
上記の画像表示装置、表示制御装置および表示制御方法によれば、表示装置の周囲の環境変化に応じて画面が自然に見えるように、表示装置の表示画質を変化させることが可能になる。【００１０】
本発明の上記および他の目的、特徴および利点は本発明の例として好ましい実施の形態を表す添付の図面と関連した以下の説明により明らかになるであろう。
【図面の簡単な説明】
【００１１】
【図１】第１の実施の形態に係る画像表示装置の機能構成例を示す図である。
【図２】照度および画質補正量についての別の遷移例を示すグラフである。
【図３】第２の実施の形態に係る画像表示装置の機能構成例を示す図である。
【図４】表示画像の低周波成分および高周波成分の画素値の例を示す図である。
【図５】画質補正処理部の処理機能を示すブロック図の例を示す。
【図６】制御値テーブルに保持されるデータの例を示す図である。
【図７】照度変化検出部による照度変化検出処理の手順を示すフローチャートである。
【図８】画質補正制御部の処理手順を示すフローチャートである。
【図９】時定数テーブルに保持されるデータの例を示す図である。
【図１０】照度および画質補正用制御値の遷移例を示すグラフである。
【図１１】第３の実施の形態における照度変化検出部の処理手順を示すフローチャートである。
【図１２】第３の実施の形態における画質補正制御部の処理手順を示すフローチャートである。
【図１３】第３の実施の形態において時定数テーブルに保持されるデータの例を示す図である。
【図１４】第４の実施の形態における照度変化検出部の処理手順を示すフローチャートである。
【図１５】第４の実施の形態における画質補正制御部の処理手順を示すフローチャートである。
【図１６】第４の実施の形態において時定数テーブルに保持されるデータの例を示す図である。
【図１７】第５の実施の形態に係る画像表示システムの機能構成例を示す図である。
【図１８】第６の実施の形態に係るコンピュータの構成例を示す図である。
【発明を実施するための形態】
【００１２】
以下、実施の形態について図面を参照して詳細に説明する。なお、以下の各実施の形態は、矛盾の無い範囲で組み合わせて実装しても構わない。
〔第１の実施の形態〕
図１は、第１の実施の形態に係る画像表示装置の機能構成例を示す図である。
【００１３】
図１に示す画像表示装置１は、表示部１０に画像を表示するとともに、表示部１０における表示画質を周囲の照度に応じて補正することが可能な装置である。この画像表示装置１は、表示部１０、複数の照度検出部１１〜１４、照度変化検出部２１、画質補正部２２および画質制御部２３を備える。
【００１４】
照度検出部１１〜１４は、それぞれ、表示部１０の周囲の照度を検出する。照度検出部１１〜１４の取り付け位置は、特に限定されるものではないが、例えば、照度検出部１１〜１４は、互いにある程度離間し、表示部１０の表示面に入射する光の照度を検出できる位置に取り付けられる。
【００１５】
なお、図１の画像表示装置１は、例として４個の照度検出部１１〜１４を備えているが、照度検出部の個数は２個以上であれば何個でもよい。また、照度検出部１１〜１４は、画像表示装置１の外部に設けられてもよい。
【００１６】
照度変化検出部２１は、照度検出部１１〜１４のそれぞれから、照度の検出値を取得する。照度変化検出部２１は、照度検出部１１〜１４のそれぞれについて、検出された照度がある１つの照度範囲（以下、「照度範囲Ｒ１」とする）から他の１つの照度範囲（以下、「照度範囲Ｒ２」とする）に変化したかを検出する。
【００１７】
画質補正部２２は、表示部１０における画質を補正する。また、画質制御部２３は、画質補正部２２での画質補正量を変化させることで、画質補正部２２での画質補正処理を制御する。画質補正部２２は、画質制御部２３による制御の下で、基本的に、表示部１０の周囲の照度に応じて、表示部１０に表示された画像が見やすくなるような画質補正を行う。
【００１８】
例えば、画質補正部２２は、表示部１０に表示させる入力画像の低周波成分に対して、画質制御部２３から指定される圧縮ゲインを適用するとともに、入力画像の高周波成分に対して、画質制御部２３から指定される拡大ゲインを適用する。この場合、表示部１０の周囲の照度が高いほど圧縮ゲインおよび拡大ゲインを大きくすることで、表示画像におけるシャドー部とハイライト部の両方におけるコントラストが高くなり、表示画像の視認性を向上させる。
【００１９】
また、別の例として、画質補正部２２は、表示部１０に表示させる入力画像の輝度を変化させる。この場合、表示部１０の周囲の照度が高いほど入力画像の輝度を大きくすることで、表示画像の視認性が向上する。なお、表示部１０が液晶表示装置である場合には、画質補正部２２は、液晶表示装置のバックパネルの明るさを制御することで、表示する画像の輝度を変化させてもよい。
【００２０】
画質制御部２３は、照度変化検出部２１による検出結果に基づいて、画質補正部２２での画質補正量を制御する。画質制御部２３は、基本的に、照度検出部１１〜１４によって検出された照度が変化したときに、画質補正部２２での画質補正量を、変化前の照度に対応する画質補正量から変化後の照度に対応する画質補正量に、連続的または離散的に変化させる。ただし、画質制御部２３は、照度変化検出部２１による検出結果に基づき、照度検出部１１〜１４のすべてによって同じような照度変化が検出されたか否かにより、画質補正部２２での画質補正量の変化の仕方を変える。
【００２１】
すなわち、画質制御部２３は、照度検出部１１〜１４のうちの少なくとも１つによって検出された照度がある照度範囲Ｒ１から他の照度範囲Ｒ２に変化したとき、画質補正部２２での画質補正量を照度範囲Ｒ２に対応する画質補正量に変化させるタイミングを、検出した照度が照度範囲Ｒ１から照度範囲Ｒ２に変化した照度検出部の個数に応じて異なるタイミングとする。このような画質制御部２３の処理により、表示部１０の周囲における照度変化の仕方に応じて、表示部１０に表示された画像がより自然に見えるように画質補正を行う。
【００２２】
例えば、画質制御部２３は、照度検出部１１〜１４のすべてが、照度が照度範囲Ｒ１から照度範囲Ｒ２に変化したことを検出した場合より、照度検出部１１〜１４のうちの一部が、照度が照度範囲Ｒ１から照度範囲Ｒ２に変化したことを検出した場合の方が、画質補正部２２での画質補正量が照度範囲Ｒ２に対応する画質補正量となるまでの時間を長くする。
【００２３】
ここで、図１の左側に示したグラフ３１，３２を用いて、画質制御部２３による画質補正制御処理についてさらに説明する。グラフ３１は、ある１つの照度検出部によって検出された照度の推移の例を示す。ここでは例として、グラフ３１は、照度検出部１１によって検出された照度であるものとする。一方、グラフ３２は、画質制御部２３の制御に基づく画質補正部２２での画質補正量の遷移の例を示す。グラフ３２において、補正量Ａ１，Ａ２は、検出された照度がそれぞれ照度範囲Ｒ１，Ｒ２に含まれるときの画質補正部２２での画質補正量を示す。
【００２４】
照度検出部１１によって検出された照度は、タイミングＴ１以前では照度範囲Ｒ１に含まれる値となっている。この状態では、画質制御部２３は、画質補正部２２での画質補正量を補正量Ａ１にする。その後、照度検出部１１によって検出された照度は、タイミングＴ１において照度範囲Ｒ１より低くなり、タイミングＴ２において照度範囲Ｒ２に含まれる値になる。照度変化検出部２１は、タイミングＴ２において、照度検出部１１によって検出された照度が、照度範囲Ｒ１から照度範囲Ｒ２に変化したと判断し、このことを画質制御部２３に通知する。
【００２５】
通知を受けた画質制御部２３は、照度変化検出部２１による検出結果に基づき、照度検出部１１と同様に照度が照度範囲Ｒ１から照度範囲Ｒ２に変化したことを検出した照度検出部が他にあるかを判定する。そして、画質制御部２３は、判定結果に応じて、画質補正部２２での画質補正量を照度範囲Ｒ２に対応する補正量Ａ２にするタイミングを変化させる。
【００２６】
画質制御部２３は、例えば、照度検出部１１〜１４のすべてによって検出された照度が照度範囲Ｒ１から照度範囲Ｒ２に変化した場合には、画質補正部２２での画質補正量を照度範囲Ｒ２に対応する補正量Ａ２に変化させるまでの時間を、時間Ｌ１に設定する。この場合、画質制御部２３は、画質補正部２２での画質補正量を、タイミングＴ２から時間Ｌ１をかけて、補正量Ａ１から補正量Ａ２に変化させる。
【００２７】
一方、画質制御部２３は、照度検出部１２〜１４のうち１つでも、検出した照度が照度範囲Ｒ１から照度範囲Ｒ２に変化していなかった場合には、画質補正部２２での画質補正量を補正量Ａ２に変化させるまでの時間を、時間Ｌ１より長い時間Ｌ２に設定する。この場合、画質制御部２３は、画質補正部２２での画質補正量を、タイミングＴ２から時間Ｌ２をかけて、補正量Ａ１から補正量Ａ２に変化させる。なお、グラフ３２では、時間Ｌ２が設定された場合における画質補正部２２での画質補正量の遷移を、破線によって示している。
【００２８】
ここで、照度検出部１１〜１４のすべてによって検出された照度が照度範囲Ｒ１から照度範囲Ｒ２に変化した場合には、表示部１０の周囲の照度が急激に変化したと推定できる。例えば、画像表示装置１を搭載した車両がトンネルや屋内駐車場などの暗い場所に入る場合などが想定される。一方、照度検出部１２〜１４のうち１つでも、検出した照度が照度範囲Ｒ１から照度範囲Ｒ２に変化していなかった場合には、表示部１０の周囲の照度が緩やかに変化したと推定できる。例えば、画像表示装置１を搭載した車両が、晴天の環境から雲や建築物の影に入る場合などが想定される。このように、表示部１０の周囲の照度が緩やかに変化したと推定される場合には、グラフ３２の破線のように、画質補正部２２での画質補正量をより緩やかに変化させた方が、表示部１０での表示画像が自然に見えるようになる。
【００２９】
従って、画像表示装置１では、画質制御部２３での画質補正量の制御処理により、表示部１０の周囲における照度変化の仕方に応じて、表示部１０に表示された画像がより自然に見えるように画質補正を行われるようになる。
【００３０】
なお、グラフ３２の例では、画質制御部２３は、画質補正部２２での画質補正量を補正量Ａ１から補正量Ａ２まで連続的に変化させる際に、変化に要する時間を制御した。しかしながら、他の例として、画質制御部２３は、画質補正量を補正量Ａ１から補正量Ａ２に切り替えるタイミングを制御してもよい。この場合、画質制御部２３は、例えば、照度検出部１１と同様に照度が照度範囲Ｒ１から照度範囲Ｒ２に変化したことを検出した照度検出部が他にあるか否かの判定結果に基づき、画質補正部２２での画質補正量を、タイミングＴ３またはタイミングＴ４のいずれかにおいて補正量Ａ１から補正量Ａ２に切り替える。
【００３１】
また、グラフ３１では、照度範囲Ｒ１，Ｒ２が互いに離間した場合の例を示したが、照度範囲Ｒ１，Ｒ２は隣接していてもよい。以下、照度範囲Ｒ１，Ｒ２が隣接している場合の処理について、図２を用いて説明する。図２は、照度および画質補正量についての別の遷移例を示すグラフである。
【００３２】
図２のグラフ４１は、照度検出部１１によって検出された照度が閾値ＴＨ１より高い値から低い値に変化する場合の照度の遷移例を示す。この場合、閾値ＴＨ１以上の範囲が前述の照度範囲Ｒ１に対応し、閾値ＴＨ１未満の範囲が前述の照度範囲Ｒ２に対応すると考えることができる。
【００３３】
一方、グラフ４２は、画質制御部２３の制御に基づく画質補正部２２での画質補正量の遷移例を示す。グラフ４２において、補正量Ａ１１は、検出された照度が閾値ＴＨ１以上の範囲に含まれるときの画質補正量を示し、補正量Ａ１２は、検出された照度が閾値ＴＨ１未満の範囲に含まれるときの画質補正量を示す。
【００３４】
照度変化検出部２１は、タイミングＴ１１において、照度検出部１１によって検出された照度が閾値ＴＨ１未満に変化したことを検出し、その旨を画質制御部２３に通知する。通知を受けた画質制御部２３は、照度検出部１２〜１４によって検出された照度が、照度検出部１１と同様に、タイミングＴ１１において閾値ＴＨ１未満に変化したかを判定する。そして、画質制御部２３は、この判定結果に基づいて、画質補正部２２での画質補正量を補正量Ａ１１から補正量Ａ１２に切り替えるまでの遅延量を変化させる。
【００３５】
画質制御部２３は、例えば、照度検出部１１〜１４のすべてによって検出された照度がタイミングＴ１１で閾値ＴＨ１未満に変化した場合には、遅延量を０と設定して、画質補正部２２での画質補正量を即座に補正量Ａ１２に切り替える。一方、画質制御部２３は、照度検出部１２〜１４のうち１つでも、検出した照度がタイミングＴ１１において閾値ＴＨ１未満に変化していなかった場合には、画質補正部２２での画質補正量を補正量Ａ１２に変化させるタイミングを、所定の時間Ｌ１１だけ遅延させる。なお、グラフ４２では、遅延時間として時間Ｌ１１が設定された場合における画質補正部２２での画質補正量の遷移を、破線によって示している。
【００３６】
以上のグラフ４２のように画質補正量を変化させることで、表示部１０の周囲の照度が緩やかに変化したと推定される場合には、画質補正量の切り替えが遅延して実行されるようになり、表示部１０での画質変化がより自然に見えるようになる。
【００３７】
〔第２の実施の形態〕
図３は、第２の実施の形態に係る画像表示装置の機能構成例を示す図である。
図３に示す画像表示装置１００は、表示パネル１１０、照度センサ１２１〜１２４、Ａ／Ｄ（Analog/Digital）変換回路１３０、制御回路１４０、画像処理回路１５０および不揮発性メモリ１６０を備える。この画像表示装置１００は、例えば、カーナビゲーションシステムまたはその一部として実現される。
【００３８】
表示パネル１１０は、制御回路１４０から出力された画像信号に基づいて画像を表示する装置であり、例えば、液晶パネル、有機ＥＬ（Electroluminescence）パネルなどとして実現される。
【００３９】
照度センサ１２１〜１２４は、それぞれ表示パネル１１０の周囲の照度を検出し、その検出結果をアナログ信号として出力する。図３の例では、照度センサ１２１〜１２４は、表示パネル１１０の上縁部に配列されているが、照度センサ１２１〜１２４の位置はこのような位置に限らない。
【００４０】
なお、照度センサ１２１〜１２４は、画像表示装置１００の外部に設けられてもよい。例えば、画像表示装置１００がカーナビゲーションシステムの少なくとも一部を構成する場合、照度センサ１２１〜１２４は、例えば、表示パネル１１０の筐体面に取り付けられるだけでなく、運転席付近、助手席付近、ルームミラー、サイドミラー、ヘッドライト付近などの車両の先頭部、テールライト付近などの車両の後部などに、分散して配置されてもよい。
【００４１】
Ａ／Ｄ変換回路１３０は、照度センサ１２１〜１２４のそれぞれから出力されたアナログ信号をデジタル信号に変換し、制御回路１４０に出力する。
制御回路１４０は、画質補正処理の制御値を画像処理回路１５０に出力することで、画像処理回路１５０で実行される画質補正処理を制御する。制御回路１４０は、例えば、ＣＰＵ（Central Processing Unit）などのプロセッサ回路として実現される。この場合、制御回路１４０によって実行される処理は、ＣＰＵが不揮発性メモリ１６０などに記憶された所定のプログラムを実行することによって実現される。また、制御回路１４０によって実現される機能の一部またはすべては、専用のハードウェア回路によって実現されてもよい。
【００４２】
画像処理回路１５０は、表示パネル１１０に表示する画像の生成処理や、表示画像の画質補正処理を、デジタル画像処理によって実行する。画像処理回路１５０は、例えば、ＤＳＰ（Digital Signal Processor）などの画像処理専用の回路として実現される。
【００４３】
なお、制御回路１４０と画像処理回路１５０とは、一体の処理回路として実現されてもよい。
不揮発性メモリ１６０は、制御回路１４０が処理を実行する際に参照するデータを保持する。不揮発性メモリ１６０は、例えば、フラッシュメモリなどの半導体メモリとして実現される。あるいは、不揮発性メモリ１６０の機能は、ＨＤＤ（Hard Disk Drive）によって実現されてもよい。
【００４４】
次に、画像処理回路１５０が実現する処理機能について説明する。画像処理回路１５０は、画像生成部１５１および画質補正処理部１５２を備える。
画像生成部１５１は、表示パネル１１０に表示させる画像を生成する。例えば、画像表示装置１００がカーナビゲーションシステムである場合、画像生成部１５１は、地図画面などを生成する。
【００４５】
画質補正処理部１５２は、制御回路１４０の制御の下で、画像生成部１５１からの画像信号に対して画質補正処理を施し、処理後の画像信号を表示パネル１１０に出力する。画質補正処理部１５２は、表示パネル１１０の周囲の照度に応じて、表示パネル１１０に表示させる画像が視認者から見やすくなるように、画質を補正する。本実施の形態では、例として、画質補正処理部１５２は、画像生成部１５１からの入力画像の低周波成分に対して圧縮ゲインを適用するとともに、入力画像の高周波成分に対して拡大ゲインを適用することで、画質を補正する。
【００４６】
次に、制御回路１４０が実現する処理機能について説明する。制御回路１４０は、照度変化検出部１４１〜１４４および画質補正制御部１４５を備える。
照度変化検出部１４１〜１４４は、それぞれ照度センサ１２１〜１２４から出力されてデジタル化された検出信号を受信する。照度変化検出部１４１〜１４４のそれぞれは、受信した検出信号に基づき、それぞれに対応する照度センサにより検出された照度が、あるレベル近辺で安定している状態から別のレベル近辺で安定した状態に変化したか否かを検出する。以下、照度センサにより検出された照度が、あるレベル近辺で安定している状態から別のレベル近辺で安定した状態に変化することを、「照度状態変化」と呼ぶ。照度変化検出部１４１〜１４４のそれぞれは、照度状態変化を検出したとき、照度が変化前の状態から変化後の状態になるまでに要した時間を示す「照度変化時間」を検知して、画質補正制御部１４５に出力する。
【００４７】
画質補正制御部１４５は、照度変化検出部１４１〜１４４からの検出情報に基づいて、画質補正処理部１５２に対して制御値を出力することにより、画質補正処理部１５２で実行される画質補正処理を制御する。画質補正制御部１４５は、画質補正処理の制御の際、不揮発性メモリ１６０に記憶された時定数テーブル１６１および制御値テーブル１６２を参照する。
【００４８】
時定数テーブル１６１に保持される「時定数」は、照度変化検出部１４１〜１４４のうちの少なくとも１つによって照度状態変化が検出されたときに、画質補正処理部１５２の制御値を照度状態の変化前に対応する制御値から変化後に対応する制御値に変化させるのにかける時間を示す。時定数テーブル１６１には、照度変化検出部１４１〜１４４から出力される上記の照度変化時間と、照度状態変化が照度変化検出部１４１〜１４４のすべてによって検出されたか否かを示す「照度変化フラグ」との組合せごとに、上記の時定数が設定されている。
【００４９】
制御値テーブル１６２には、照度と、その照度において適切な画質補正が行われる画質補正処理部１５２での制御値とが、対応付けて保持されている。
次に、図４，図５を用いて、画質補正処理部１５２での画質補正処理について説明する。図４は、表示画像の低周波成分および高周波成分の画素値の例を示す図である。
【００５０】
図４のグラフの横軸は、例えば、表示画像上のある水平ラインに配置された画素の位置（水平方向の座標）を示し、縦軸は、各座標における画素の値を示す。表示画像の信号を低周波信号と高周波成分とに分解したとき、低周波成分は図４の一点鎖線のように表され、高周波成分は図４の矢印のように表される。
【００５１】
画質補正処理部１５２は、画質補正制御部１４５による制御の下で、入力画像の低周波成分を圧縮するとともに、高周波成分を拡大する。入力画像の低周波成分を圧縮することとは、図４中の一点鎖線のレベルの低下させることを意味する。また、入力画像の高周波成分を拡大するとは、図４中の矢印の長さを大きくすることを意味する。
【００５２】
低周波成分が圧縮されることで、画質補正処理部１５２は、入力画像における画素値が低い部分（いわゆるシャドー部）および画素値が高い部分（いわゆるハイライト部）の両方のダイナミックレンジを引き延ばす。また、高周波成分が拡大されることで、画質補正処理部１５２は、シャドー部およびハイライト部の両方で入力画像における微細な濃淡の違いを際立たせる。従って、表示パネル１１０の周囲の照度が高いほど、入力画像の低周波成分が圧縮されるとともに高周波成分が拡大されることで、表示パネル１１０に表示される画像の視認性が向上する。
【００５３】
図５は、画質補正処理部の処理機能を示すブロック図の例を示す。画質補正処理部１５２は、高周波成分抽出部１５２ａおよび画像合成部１５２ｂを備える。
高周波成分抽出部１５２ａは、画像生成部１５１から入力される画像の信号から、高周波成分を抽出する。高周波成分抽出部１５２ａは、例えば、ローパスフィルタを備え、入力画像信号と、ローパスフィルタを通過した入力画像信号との差分を求めることで、高周波成分を抽出する。さらに、高周波成分抽出部１５２ａは、差分演算により抽出した高周波成分をα倍に拡大し、入力画像の濃淡の違いが強調されるようにする。
【００５４】
画像合成部１５２ｂは、画像生成部１５１から入力される入力画像と、高周波成分抽出部１５２ａから出力された画像とを合成する。画像合成部１５２ｂは、高周波成分抽出部１５２ａから出力された画像の合成比をｂ（ただし、ｂは０以上１以下）とし、画像生成部１５１からの入力画像の合成比（１−ｂ）とする。合成比ｂは、画質補正制御部１４５から画質補正処理部１５２に出力される制御値となる。
【００５５】
ここで、画像生成部１５１からの入力画像をＸ、入力画像Ｘに含まれる低周波成分をＹ、高周波成分抽出部１５２ａから出力される画像をＺとする。このとき、画像合成部１５２ｂから出力される画像は、「Ｘ（１−ｂ）＋ａＺ」と表される。また、入力画像Ｘに含まれる高周波成分はＺ／αと表されることから、「Ｘ＝Ｙ＋Ｚ／α」なる式が成立する。これら２式から、画像合成部１５２ｂから出力される画像は、「Ｙ（１−ｂ）＋（Ｚ／α）（αｂ＋１−ｂ）」と表される。従って、画像合成部１５２ｂにおける合成処理は、低周波成分Ｙに対して圧縮ゲイン（１−ｂ）を適用した信号と、高周波成分Ｚ／αに対して拡大ゲイン（αｂ＋１−ｂ）を適用した信号とを合成することと同義である。
【００５６】
図６は、制御値テーブルに保持されるデータの例を示す図である。
制御値テーブル１６２には、照度のレンジごとに、画質補正処理部１５２に対する制御値（すなわち合成比ｂ）が対応付けて設定される。そして、画質補正制御部１４５は、照度変化検出部１４１〜１４４のいずれかによって検出された照度に対応する制御値を、制御値テーブル１６２から抽出し、抽出した制御値を用いて画質補正処理部１５２を制御する。
【００５７】
図６の制御値テーブル１６２では例として、照度のレンジが５段階に分割され、分割された各レンジに対して制御値が設定されている。照度のレンジについてはＣ１＜Ｃ２＜Ｃ３＜Ｃ４の関係を有し、制御値についてはＢ１＜Ｂ２＜Ｂ３＜Ｂ４＜Ｂ５の関係を有している。このような設定に基づき、画質補正制御部１４５は、照度が大きいほど画質補正処理部１５２に対して高い制御値（すなわち、高い合成比ｂ）を出力する。これにより、表示パネル１１０の周囲の照度が高いほど、表示画像の低周波成分の圧縮ゲインおよび高周波成分の拡大ゲインがともに高くなり、照度によらず表示画像の視認性が維持されるようになる。
【００５８】
なお、画質補正制御部１４５は、画質補正処理部１５２に対して照度のレンジごとの離散的な制御値を出力する代わりに、照度に応じて制御値を線形に変化させてもよい。この場合、画質補正制御部１４５は、例えば、制御値テーブル１６２の代わりに計算式を用いて制御値を算出すればよい。
【００５９】
次に、図７を用いて、照度変化検出部１４１〜１４４の処理について説明する。照度変化検出部１４１〜１４４のそれぞれは同じ処理を行うので、以下の図７の説明では、代表して照度変化検出部１４１の処理について説明する。
【００６０】
図７は、照度変化検出部による照度変化検出処理の手順を示すフローチャートである。
［ステップＳ１１］Ａ／Ｄ変換回路１３０は、照度センサ１２１で検出された照度の検出信号を、一定時間ごとにデジタル化して照度変化検出部１４１に出力する。照度変化検出部１４１は、照度センサ１２１で検出された照度のデジタル値を、Ａ／Ｄ変換回路１３０から取得する。
【００６１】
照度変化検出部１４１は、一定期間内に取得した最新の照度を、制御回路１４０の内部または外部のＲＡＭ（Random Access Memory、図示せず）に履歴として保持する。ステップＳ１１では、照度変化検出部１４１は、Ａ／Ｄ変換回路１３０から取得した照度を用いて履歴を更新する。
【００６２】
［ステップＳ１２］照度変化検出部１４１は、履歴として保持する一定期間の照度の最大値と最小値との差分を、照度の変動幅として演算する。
［ステップＳ１３］照度変化検出部１４１は、ステップＳ１２で算出した照度の変動幅が、あらかじめ決められた一定の幅を超えたか否かを判定する。照度変化検出部１４１は、照度の変動幅が一定幅以内である場合には、ステップＳ１４の処理を実行する。一方、照度変化検出部１４１は、照度の変動幅が一定幅を超えた場合には、ステップＳ１５の処理を実行する。
【００６３】
［ステップＳ１４］照度変化検出部１４１は、履歴として保持する一定期間の照度の平均値を演算し、算出した平均値を現在の照度として画質補正制御部１４５に出力する。後述するように、画質補正制御部１４５は、ステップＳ１４の処理により出力された現在の照度を受信すると、受信した現在の照度に対応する制御値を制御値テーブル１６２から読み出し、読み出した制御値を即座に画質補正処理部１５２に出力する。
【００６４】
なお、このステップＳ１４では、照度変化検出部１４１は、一定期間の照度の平均値の代わりに、例えば、一定期間の照度の最大値、最小値、最大値と最小値との中間値、最新の照度のいずれかを、画質補正制御部１４５に出力してもよい。
【００６５】
ステップＳ１４の処理が実行された後、ステップＳ１１の処理が再度実行される。
［ステップＳ１５］照度変化検出部１４１は、照度変化時間のカウントを、カウント値０から開始する。
【００６６】
［ステップＳ１６］照度変化検出部１４１は、照度センサ１２１で検出された照度のデジタル値を、Ａ／Ｄ変換回路１３０から取得し、取得した照度によって履歴を更新する。
［ステップＳ１７］照度変化検出部１４１は、履歴として保持する一定期間の照度の最大値と最小値との差分を、照度の変動幅として演算する。
【００６７】
［ステップＳ１８］照度変化検出部１４１は、ステップＳ１７で算出した照度の変動幅が、あらかじめ決められた一定の幅以内であるか否かを判定する。この判定に使用する一定幅は、ステップＳ１３での判定に使用した幅と同じでよい。照度変化検出部１４１は、照度の変動幅が一定幅を超えた場合には、ステップＳ１６の処理を実行する。一方、照度変化検出部１４１は、照度の変動幅が一定幅以内である場合には、ステップＳ１９の処理を実行する。
【００６８】
［ステップＳ１９］照度変化検出部１４１は、照度変化時間のカウントを停止する。
［ステップＳ２０］照度変化検出部１４１は、画質補正制御部１４５に対して、照度状態変化の発生を通知する。これとともに、照度変化検出部１４１は、履歴として保持する一定期間の照度の平均値を演算し、算出した平均値を現在の照度として画質補正制御部１４５に出力する。また、照度変化検出部１４１は、ステップＳ１９でカウントを停止したときのカウント値を、照度変化時間として画質補正制御部１４５に出力する。
【００６９】
なお、照度状態変化の通知、現在の照度の出力、照度変化時間の出力の各処理の実行順は、特に限定されるものではなく、またはこれらの処理が同時に実行されてもよい。また、ステップＳ２０では、照度変化検出部１４１は、一定期間の照度の平均値の代わりに、例えば、一定期間の照度の最大値、最小値、最大値と最小値との中間値、最新の照度のいずれかを、画質補正制御部１４５に出力してもよい。
【００７０】
この後、ステップＳ１１の処理が再度実行される。
以上の図７の処理では、照度変化検出部１４１は、検出される照度の変動幅が一定の幅を超えない状態では、Ａ／Ｄ変換回路１３０から照度を取得するたびに、現在の照度を画質補正制御部１４５に出力する。また、照度変化検出部１４１は、ステップＳ１３において、一定時間の照度の変動幅が一定の幅にある状態（すなわち、照度が第１の照度範囲にある状態）から逸脱したことを検出すると、照度が比較的大きく変動すると判定し、照度変化時間のカウントを開始する。照度変化検出部１４１は、その後、ステップＳ１８において、照度の変動幅が一定の幅に収束した状態（すなわち、照度が第２の照度範囲にある状態）に変化したことを検出すると、照度状態変化が発生したと判定して、その旨を画質補正制御部１４５に通知する。このとき、照度変化検出部１４１は、照度状態の変化に要した時間（照度変化時間）と変化後の照度（現在の照度）とを、画質補正制御部１４５に出力する。
【００７１】
次に、図８は、画質補正制御部の処理手順を示すフローチャートである。この図８の処理は、Ａ／Ｄ変換回路１３０によって照度センサ１２１〜１２４のそれぞれからの検出信号をデジタル化した信号が、照度変化検出部１４１〜１４４のそれぞれに出力されるタイミングごとに実行されるものである。
【００７２】
［ステップＳ３１］画質補正制御部１４５は、照度変化検出部１４１〜１４４の少なくとも１つから、照度状態変化の発生通知を受けたか否かを判定する。画質補正制御部１４５は、照度変化検出部１４１〜１４４の少なくとも１つから照度状態変化の通知を受けた場合には、ステップＳ３４の処理を実行する。一方、画質補正制御部１４５は、照度変化検出部１４１〜１４４のいずれからも照度状態変化の通知を受けていない場合には、ステップＳ３２の処理を実行する。
【００７３】
［ステップＳ３２］画質補正制御部１４５は、照度変化検出部１４１〜１４４のそれぞれから、現在の照度を受信する。このとき受信する現在の照度は、照度変化検出部１４１〜１４４のそれぞれが、図７のステップＳ１４の処理により出力したものとなる。
【００７４】
画質補正制御部１４５は、照度変化検出部１４１〜１４４のそれぞれから受信した現在の照度を基に、制御値の抽出に用いる現在の照度を決定する。例えば、画質補正制御部１４５は、受信した現在の照度の平均値を演算し、算出した平均値を制御値抽出用の現在の照度とする。あるいは、照度変化検出部１４１〜１４４のうちのあらかじめ決められた１つからの照度を、制御値抽出用の現在の照度としてもよい。後者の場合、例えば、照度変化検出部１４１〜１４４のそれぞれに対応する照度センサ１２１〜１２４の、表示パネル１１０に対する相対位置を基に、照度変化検出部１４１〜１４４が選択されてもよい。例えば、表示パネル１１０の中心部に最も近い位置に設けられた照度センサに対応する照度変化検出部からの現在の照度を、制御値抽出用の現在の照度としてもよい。
【００７５】
画質補正制御部１４５は、制御値テーブル１６２を参照し、制御値抽出用の現在の照度に対応付けられた制御値を抽出する。
［ステップＳ３３］画質補正制御部１４５は、ステップＳ３２で抽出した制御値を画質補正処理部１５２に出力し、画質補正量を変更する。
【００７６】
以上のステップＳ３２，Ｓ３３の処理は、照度変化検出部１４１〜１４４のそれぞれにおいて検出される照度の変動量がごく小さい場合（すなわち、図７のステップＳ１３において照度の変動幅が一定の幅を超えない場合）に実行される。検出される照度の変動量が小さい場合であっても、照度が緩やかに上昇または低下する場合がある。ステップＳ３２，Ｓ３３では、このように照度が緩やかに上昇または低下した場合に、照度に合わせて画質補正処理部１５２での画質補正量も変更される。
【００７７】
［ステップＳ３４］画質補正制御部１４５は、照度状態変化が、すべての照度変化検出部１４１〜１４４から同時に検出されたか否かを判断する。具体的には、例えば、画質補正制御部１４５は、照度変化検出部１４１〜１４４のすべてが、照度状態変化を同時に通知し、かつ、照度変化時間および現在の照度として同じ値を出力したか否かを判断する。
【００７８】
［ステップＳ３５］ステップＳ３４では、照度変化検出部１４１〜１４４のうちの複数が同時に照度状態変化を通知したものの、照度変化時間や現在の照度として異なる値を出力することがあり得る。この場合、画質補正制御部１４５は、照度状態変化を通知した照度変化検出部のうちの１つを選択し、選択した照度変化検出部から出力された照度変化時間および現在の照度を、制御値抽出用のデータとして採用する。
【００７９】
例えば、画質補正制御部１４５は、照度変化検出部１４１〜１４４に対して優先度をあらかじめ付与しておき、照度状態変化を通知した照度変化検出部のうち最も優先度の高い照度変化検出部を選択する。優先度は、例えば、照度変化検出部１４１〜１４４のそれぞれに対応する照度センサ１２１〜１２４の、表示パネル１１０に対する相対位置に応じて付与されてもよい。例えば、表示パネル１１０の中心部に近い位置に設けられた照度センサに対応する照度変化検出部ほど、高い優先度を付与する。
【００８０】
［ステップＳ３６］前述のように、時定数テーブル１６１には、照度変化時間と、照度状態変化が照度変化検出部１４１〜１４４のすべてによって検出されたか否かを示す「照度変化フラグ」との組合せごとに、画質補正処理部１５２に対する制御値を変化させる際の時定数が設定されている。画質補正制御部１４５は、時定数テーブル１６１を参照し、ステップＳ３４での判断結果と、ステップＳ３５で選択した照度変化検出部から出力された照度変化時間とに合致する時定数を、時定数テーブル１６１から抽出する。
【００８１】
［ステップＳ３７］画質補正処理部１５２は、制御値テーブル１６２を参照し、ステップＳ３５で選択した照度変化検出部から出力された現在の照度に対応付けられた制御値を、制御値テーブル１６２から抽出する。
【００８２】
［ステップＳ３８］画質補正処理部１５２は、画質補正処理部１５２に対する制御値を時定数に基づいて変化させる処理を開始する。具体的には、画質補正処理部１５２は、画質補正処理部１５２に対して出力する制御値を、図８の処理を開始する直前において画質補正処理部１５２に出力していた制御値から、ステップＳ３７で抽出した制御値まで、ステップＳ３６で抽出した時定数だけの時間をかけて変化させる。
【００８３】
なお、ステップＳ３６で抽出される時定数は、Ａ／Ｄ変換回路１３０が照度変化検出部１４１〜１４４に対して照度のデジタル値を出力する周期より長くなることがある。この場合、画質補正制御部１４５は、ステップＳ３８において制御値を変化させている途中で、照度変化検出部１４１〜１４４の少なくとも１つから新たな照度を受信する場合がある。この場合、画質補正制御部１４５は、例えば、画質補正処理部１５２に対して出力する制御値が、ステップＳ３７で抽出した制御値になるまで、照度変化検出部１４１〜１４４からの照度を無視して、制御値の変化処理を続行してもよい。
【００８４】
また、別の方法として、画質補正制御部１４５は、ステップＳ３８において制御値を変化させている途中で、照度変化検出部１４１〜１４４の少なくとも１つから照度状態変化の通知を受けた場合には、その時点で制御値変化処理を停止し、ステップＳ３１，Ｓ３４〜Ｓ３８の処理を実行してもよい。この場合、新たに実行されるステップＳ３８では、照度変化処理を停止した時点で出力していた制御値が、制御値を変化させる始点とされればよい。
【００８５】
図９は、時定数テーブルに保持されるデータの例を示す図である。
時定数テーブル１６１には、照度変化フラグと、照度変化時間のレンジとの組合せごとに、時定数が設定される。照度変化フラグは、照度状態変化が照度変化検出部１４１〜１４４のすべてで同時に検出されたか否かを示す。画質補正処理部１５２は、図８のステップＳ３４において、照度状態変化が照度変化検出部１４１〜１４４のすべてで同時に検出されたと判断した場合、ステップＳ３６において、照度フラグ「１」に対応付けられた時定数を抽出する。一方、画質補正処理部１５２は、図８のステップＳ３４において、照度状態変化が照度変化検出部１４１〜１４４の一部でのみ検出されたと判断した場合、ステップＳ３６において、照度フラグ「０」に対応付けられた時定数を抽出する。
【００８６】
また、図９の時定数テーブル１６１では例として、照度変化時間のレンジが３段階に分割されている。照度変化時間のレンジについては、Ｄ１＜Ｄ２の関係を有している。そして、図９の時定数テーブル１６１では例として、照度変化フラグが「１」である場合には、時定数として照度変化時間のレンジの上限値が設定され、照度変化フラグが「０」である場合には、時定数として照度変化時間のレンジより長い時間が設定されている。なお、時定数の項に設定されたＤ３は、Ｄ２より大きい所定の値とされる。
【００８７】
このように、照度変化時間が同じ場合であっても、照度変化フラグが「１」である場合より「０」である方が時定数を長く設定することにより、画質補正量がより緩やかに変化するようになる。照度変化フラグが「０」である場合には、照度センサ１２１〜１２４の一部においてのみ照度状態変化が発生している。このため、すべての照度センサ１２１〜１２４の位置を含めた広い範囲で見ると、照度は検出された照度変化時間よりもさらに長い時間をかけて変化していると推定できる。あるいは、表示パネル１１０が雲や建築物の影などに一時的に入ることで、照度が一時的に変化したと推定することもできる。いずれの場合でも、表示画像における画質補正量をより緩やかに変化させることで、表示パネル１１０での表示画像が自然に見えるようになる。
【００８８】
また、時定数は、照度変化時間のレンジの上限値とは無関係に設定されてもよい。すなわち、時定数は、照度変化時間が長くなるほど、大きな値が設定されればよい。これにより、照度変化時間が長くなるほど、画質補正量が変化する時間も長くなり、表示パネル１１０に表示された画像が自然に見えるように画質補正が行われるようになる。
【００８９】
なお、図９において、Ｅ１，Ｅ２，Ｅ３は、例えば、すべて同じ値であってもよい。あるいは、例えばＥ１＜Ｅ２＜Ｅ３のような関係を有していてもよい。また、時定数の数値例としては、Ｄ１として数十ミリ秒、Ｄ３＋Ｅ３として数十秒とすることができる。
【００９０】
また、時定数としては、固定値であるＤ１，Ｄ２，Ｄ３の代わりに、図７のステップＳ１９で検出された照度変化時間の値自体が設定されてもよい。この場合、照度変化フラグが「１」の場合には、実際の照度変化時間をかけて画質補正量が変化され、照度変化フラグが「０」の場合には、実際の照度変化時間より長い時間をかけて画質補正量が変化されるようになる。
【００９１】
また、以上の第２の実施の形態では、照度変化検出部１４１〜１４４は、照度状態変化に要する照度変化時間を検出し、時定数テーブル１６１には照度変化時間が設定されるようにした。しかしながら、他の例として、照度変化時間の代わりに、照度状態変化の発生時における照度変化率が用いられてもよい。この場合、照度変化検出部１４１〜１４４のそれぞれは、図７において、ステップＳ１３で照度の変動幅が一定幅を超えたと判断してから、ステップＳ１８で照度の変動幅が一定幅に収まったと判断するまでの、照度の変化量を検出する。そして、照度変化検出部１４１〜１４４のそれぞれは、検出した照度変化量を、ステップＳ１９で検出した照度変化時間で除算することにより、照度変化率を算出し、ステップＳ２０において、照度変化時間の代わりに照度変化率を出力する。
【００９２】
時定数テーブル１６１においては、照度変化率が高くなるほど、短い時定数が設定される。また、照度変化率が同じ場合、照度変化フラグが「１」の場合より「０」の場合の方が、長い時定数が設定される。画質補正処理部１５２は、図８のステップＳ３６において、ステップＳ３４での判断結果と、ステップＳ３５で選択した照度変化検出部から出力された照度変化率とに合致する時定数を、時定数テーブル１６１から抽出する。このような処理を実行することで、上記の第２の実施の形態と同様の効果が得られる。
【００９３】
また、以上の第２の実施の形態では、照度状態変化が検出されたとき、画質補正用の制御値を、時定数が示す時間をかけて、状態変化後の照度に対応する制御値まで徐々に変化させた。これに対して、別の方法として、画質補正用の制御値を状態変化後の照度に対応する制御値に変化させるタイミングを、時定数の分だけ遅延させるようにしてもよい。この場合、画質補正制御部１４５は、図８のステップＳ３８において、時定数の分だけ時間が経過した後に、ステップＳ３７で抽出した制御値を画質補正処理部１５２に出力して、画質補正量を一度に変化させる。
【００９４】
さらに、画質補正制御部１４５は、図８のステップＳ３８において、時定数の分だけ時間が経過する前に、照度変化検出部１４１〜１４４の少なくとも１つから照度状態変化の通知を受けた場合には、その時点で制御値変化処理を停止し、ステップＳ３１，Ｓ３４〜Ｓ３８の処理を実行してもよい。以下、このような処理を行った場合の制御値変化の例について、次の図１０を用いて説明する。
【００９５】
図１０は、照度および画質補正用制御値の遷移例を示すグラフである。
図１０のグラフ１７１は、いずれかの照度変化検出部によって検出された照度の遷移例を示す。グラフ１７１には、照度が一時的に変化した場合の例を示す。また、図１０のグラフ１７２は、グラフ１７１のように照度が遷移したときに、画質補正制御部１４５から出力される画質補正用の制御値の遷移を示す。
【００９６】
グラフ１７１に示すように、照度変化検出部は、タイミングＴ２１において、照度の履歴内の最大値と最小値との差分が一定幅Ｒ２１を逸脱し、照度が急激に低下し出したことを検知する。そして、照度変化検出部は、タイミングＴ２２において、照度の履歴内の最大値と最小値との差分が一定幅Ｒ２１に収まるようになり、照度変化が安定化したことを検知する。このとき、照度変化検出部は、画質補正制御部１４５に対して、照度状態変化が発生したことを通知する。これとともに、照度変化検出部は、タイミングＴ２２における照度を現在の照度として、また、タイミングＴ２１からタイミングＴ２２までの時間を照度変化時間として、それぞれ画質補正制御部１４５に出力する。
【００９７】
画質補正制御部１４５は、タイミングＴ２２において、照度変化時間および照度変化フラグに基づいて、時定数テーブル１６１から時定数を抽出する。図１０の例では、タイミングＴ２２において、時定数「Ｄ３＋Ｅ３」が抽出されたものとする。画質補正制御部１４５は、タイミングＴ２２を起点として時間のカウントを開始し、時間「Ｄ３＋Ｅ３」が経過するタイミングＴ２５まで、画質補正処理部１５２に出力する制御値をＡ２１から変化させない。仮に、タイミングＴ２５までの間に、照度変化検出部から照度状態変化の発生が再度通知されなければ、グラフ１７２の破線で示すように、画質補正制御部１４５は、タイミングＴ２５において、画質補正処理部１５２に出力する制御値を、タイミングＴ２２での照度に対応する制御値Ａ２２に切り替える。
【００９８】
しかしながら、照度変化検出部が、タイミングＴ２３において、照度の履歴内の最大値と最小値との差分が一定幅Ｒ２１を逸脱して、照度が急激に上昇したことを検知し、タイミングＴ２５より前のタイミングＴ２４において、照度状態変化の発生を検知したものとする。ただし、タイミングＴ２５での照度と、タイミングＴ２１より前の照度は、いずれも制御値テーブル１６２内の同じ照度レンジに含まれる値であるものとする。
【００９９】
画質補正制御部１４５は、制御値変更までの時間をカウントしている途中のタイミングＴ２４において、照度変化検出部から照度状態変化の発生通知を受けると、時間のカウントを停止し、図８のステップＳ３８の処理を強制的に終了する。そして、画質補正制御部１４５は、図８のステップＳ３１からの処理を再度実行する。
【０１００】
画質補正制御部１４５は、タイミングＴ２４において、照度変化時間および照度変化フラグに基づいて、時定数テーブル１６１から時定数を抽出する。図１０の例では、タイミングＴ２４において、時定数「Ｄ３＋Ｅ３」が抽出されたものとする。画質補正制御部１４５は、タイミングＴ２４を起点として時間のカウントを開始し、時間「Ｄ３＋Ｅ３」が経過するタイミングＴ２６まで、画質補正処理部１５２に出力する制御値をＡ２１から変化させない。
【０１０１】
その後、画質補正制御部１４５は、タイミングＴ２６において、制御値をＡ２１に変更しようとするが、変更前の制御値もＡ２１のままであるので、実際には画質補正処理部１５２に出力される制御値は変化しない。従って、タイミングＴ２１からタイミングＴ２６までの期間には、表示パネル１１０上の画質は変化しない。
【０１０２】
前述のように、図９に示したように時定数テーブル１６１では、例えば、照度センサ１２１〜１２４の一部においてのみ照度状態変化が発生した場合のように、照度の変化が一時的なものであると推定される場合には、より長い時定数が設定される。グラフ１７１での照度の遷移例のように、照度状態変化が発生したものの、比較的短時間で照度が元の値付近に戻るという、一時的な照度変化が発生した場合には、長い時定数が設定されることで、グラフ１７２のように画質補正量を変化させないようにすることができる。これにより、例えば、一時的な照度の変化に追随して画質補正が短い周期で繰り返され、画面の見え方が不自然になるといった事態の発生を抑制することができる。
【０１０３】
〔第３の実施の形態〕
ところで、昼間のような明るい環境からトンネルの中のように暗い環境に移る場合と、その反対に暗い環境から明るい環境に移る場合とでは、人間の視覚の順応に違いがある。例えば、一般に、明るい場所から暗い場所に入る場合は、視覚の順応に数十秒かかるが、暗い場所から明るい場所に出る場合は、視覚はごく短時間に順応する。そこで、以下の第３の実施の形態では、人間の視覚の順応を考慮して画質変化にかける時間を調整する。
【０１０４】
第３の実施の形態に係る画像表示装置は、基本的に図３に示した構成によって実現可能であるので、ここでは図３の構成を用いて説明する。第２の実施の形態との違いは、照度変化検出部１４１〜１４４のそれぞれが、照度が上がったか下がったかをさらに検出可能である点、時定数テーブル１６１において、照度が上がったか下がったかを示す「明暗変化フラグ」に応じて異なる時定数が設定される点、画質補正制御部１４５が、明暗フラグを考慮して制御値を決定する点である。
【０１０５】
図１１は、第３の実施の形態における照度変化検出部の処理手順を示すフローチャートである。
この図１１では、図７と同様に、照度変化検出部１４１〜１４４のうち代表して照度変化検出部１４１での処理についてのみ説明する。また、図１１では、図７と同じ処理を行う処理ステップには同じ符号を付して示し、図７と異なる処理ステップについてのみ説明する。図１１に示す処理では、図７に示したステップＳ２０の処理の代わりに、ステップＳ４１，Ｓ２０ａが実行される。
【０１０６】
［ステップＳ４１］照度変化検出部１４１は、照度状態変化を検出し（Ｓ１８）、照度変化時間のカウントを停止した（Ｓ１９）後、照度がプラス側とマイナス側のどちらに変化したかを判定する。この判定は、それぞれ直近のステップＳ１１，Ｓ１６で取得された照度の大小に基づいて行われる。なお、図１１において、ステップＳ１９，Ｓ４１の各処理は並列に実行されてもよい。
【０１０７】
［ステップＳ２０ａ］照度変化検出部１４１は、図７のステップＳ２０と同様に、画質補正制御部１４５に対して、照度状態変化の発生を通知するとともに、現在の照度および照度変化時間を画質補正制御部１４５に出力する。さらに、照度変化検出部１４１は、ステップＳ４１での判定結果に基づく明暗変化フラグを、画質補正制御部１４５に出力する。照度変化検出部１４１は、照度がマイナス側に変化したとき、明暗変化フラグを「１」とし、照度がプラス側に変化したとき、明暗変化フラグを「０」とする。
【０１０８】
図１２は、第３の実施の形態における画質補正制御部の処理手順を示すフローチャートである。
この図１２では、図８と同じ処理を行う処理ステップには同じ符号を付して示し、図８と異なる処理ステップについてのみ説明する。図１２に示す処理では、図８に示したステップＳ３４，Ｓ３６の代わりに、ステップＳ３４ａ，Ｓ３６ａがそれぞれ実行される。
【０１０９】
［ステップＳ３４ａ］画質補正制御部１４５は、照度状態変化が、すべての照度変化検出部１４１〜１４４から同時に検出されたか否かを判断する。具体的には、例えば、画質補正制御部１４５は、照度変化検出部１４１〜１４４のすべてが、照度状態変化を同時に通知し、かつ、照度変化時間、現在の照度および明暗変化フラグとして同じ値を出力したか否かを判断する。
【０１１０】
［ステップＳ３６ａ］時定数テーブル１６１には、照度変化時間と、照度変化フラグと、明暗変化フラグとの組合せごとに、画質補正処理部１５２に対する制御値を変化させる際の時定数が設定されている。画質補正制御部１４５は、時定数テーブル１６１を参照し、ステップＳ３４ａでの判断結果と、ステップＳ３５で選択した照度変化検出部から出力された照度変化時間および明暗変化フラグとに合致する時定数を、時定数テーブル１６１から抽出する。
【０１１１】
図１３は、第３の実施の形態において時定数テーブルに保持されるデータの例を示す図である。
本実施の形態の時定数テーブル１６１には、照度変化時間と、照度変化フラグと、明暗変化フラグとの組合せごとに、時定数が設定されている。図１３の例では、図９と同様に、照度変化時間のレンジが３段階に分割されている。また、本実施の形態の時定数テーブル１６１では、照度変化時間が、最も短い時間を含むレンジ（Ｄ１以下のレンジ）以外である場合には、図９と同様に、照度変化フラグが「１」であれば、時定数として照度変化時間のレンジの上限値が設定され、照度変化フラグが「０」であれば、時定数として照度変化時間のレンジより長い時間が設定されている。
【０１１２】
さらに、図１３の時定数テーブル１６１では、照度変化時間が最も短い時間を含むレンジ（Ｄ１以下のレンジ）に含まれ、かつ照度変化フラグが「１」である場合には、明暗変化フラグの値に応じて異なる時定数が設定される。照度変化時間がＤ１以下で、かつ、照度変化フラグが「１」のとき、明暗変化フラグが「０」の場合（すなわち、照度がプラス側に変化した場合）には、時定数としてＤ１が設定され、明暗変化フラグが「１」の場合（すなわち、照度がマイナス側に変化した場合）には、時定数としてＤ１より長い値（Ｄ１＋Ｆ１）が設定される。
【０１１３】
照度変化時間が短く、かつ照度変化フラグが「１」である場合には、例えば、昼間のような非常に明るい状態からトンネルの中のような非常に暗い状態にごく短時間で移動した可能性がある。照度変化時間がＤ１以下で、照度変化フラグが「１」かつ明暗変化フラグが「１」である場合には、照度センサ１２１〜１２４のすべてからの照度が短時間で大きく低下したと推定される。このため、暗い状態から明るい状態へ変化した、明暗変化フラグが「０」の場合よりも、時定数を短く設定することで、画質補正量をより緩やかに変化させ、人間の視覚の順応性に適した画質補正動作を実行させることができる。
【０１１４】
なお、照度変化時間がＤ１以下のときは、明暗変化フラグの値に関係なく、時定数をＤ１より長く設定する。ここで、図１３中のＥ１とＦ１とは、例えば、同じ値とされてもよいし、異なる値とされてもよい。
【０１１５】
なお、以上の第３の実施の形態でも、照度変化時間の代わりに照度変化率に基づいて画質補正量が制御されてもよい。この場合、図１３の時定数テーブル１６１においては、照度変化時間のレンジの代わりに照度変化率のレンジが設定され、照度変化率が高くなるほど、短い時定数が設定されればよい。
【０１１６】
また、上記の第３の実施の形態でも、画質補正制御部１４５は、図１０で説明したように、制御値を照度状態の変化後の照度に対応する制御値に変化させるタイミングを、時定数の分だけ遅延させるようにしてもよい。さらに、画質補正制御部１４５は、図１２のステップＳ３８において、時定数の分だけ時間が経過した後に、ステップＳ３７で抽出した制御値を画質補正処理部１５２に出力して、画質補正量を一度に変化させてもよい。
【０１１７】
〔第４の実施の形態〕
ところで、例えば、表示パネル１１０が、昼間のような非常に明るい場所からトンネルの中のような非常に暗い場所に移動する場合、またはその逆方向に移動する場合には、表示パネル１１０が雲や建築物の影に入る場合などと比較して、照度の変動量が大きい。例えば、晴天時の屋外の照度は５万ルクス程度であるのに対し、トンネル内の照度はせいぜい数百ルクス程度となり、これらの照度差は５万ルクス近くなる。しかしながら、晴天時において建物の影になっている場所は、例えば１．５万ルクス程度であるので、晴天下の環境から建物の影に入ったときの照度差は、３．５万ルクス程度となり、トンネルに入る場合よりはるかに小さくなる。
【０１１８】
また、表示パネル１１０が晴天下のような非常に明るい場所からトンネル内のような非常に暗い場所、またはその逆方向に移動する場合には、基本的に、画質補正量をできるだけ速く変化させる方が、表示画像の視認性が高まる。これに対して、表示パネル１１０が雲や建築物の影に入る場合など、照度の変動量が比較的小さい場合には、画質補正量を緩やかに変化させた方が、表示画像が自然に見える。そこで、以下に示す第４の実施の形態では、照度状態変化が発生した際の照度変化量に基づいて、画質補正量を決定する。
【０１１９】
第４の実施の形態に係る画像表示装置は、基本的に図３に示した構成によって実現可能であるので、ここでは図３の構成を用いて説明する。第２の実施の形態との違いは、照度変化検出部１４１〜１４４のそれぞれが、照度変化時間の代わりに照度変化量を検出する点、時定数テーブル１６１において、照度変化量に応じて異なる時定数が設定される点、画質補正制御部１４５が、照度変化量を考慮して制御値を決定する点である。
【０１２０】
図１４は、第４の実施の形態における照度変化検出部の処理手順を示すフローチャートである。
この図１４では、図７と同様に、照度変化検出部１４１〜１４４のうち代表して照度変化検出部１４１での処理についてのみ説明する。また、図１４では、図７と同じ処理を行う処理ステップには同じ符号を付して示し、図７と異なる処理ステップについてのみ説明する。図１４に示す処理では、図７に示したステップＳ１５，Ｓ１９が実行されず、さららに、図７に示したステップＳ２０の処理の代わりに、ステップＳ５１，Ｓ２０ｂが実行される。従って、ステップＳ１３で判定がＹｅｓの場合にはステップＳ１６の処理が実行され、ステップＳ１８で判定がＹｅｓの場合にはステップＳ５１の処理が実行される。
【０１２１】
［ステップＳ５１］照度変化検出部１４１は、照度状態変化を検出した（Ｓ１８）後、直近のステップＳ１１，Ｓ１６でそれぞれ取得した照度の差分を演算することで、照度変化量を算出する。
【０１２２】
［ステップＳ２０ｂ］照度変化検出部１４１は、図７のステップＳ２０と同様に、画質補正制御部１４５に対して、照度状態変化の発生を通知するとともに、現在の照度を画質補正制御部１４５に出力する。さらに、照度変化検出部１４１は、ステップＳ５１で算出した照度変化量を、画質補正制御部１４５に出力する。
【０１２３】
図１５は、第４の実施の形態における画質補正制御部の処理手順を示すフローチャートである。
この図１５では、図８と同じ処理を行う処理ステップには同じ符号を付して示し、図８と異なる処理ステップについてのみ説明する。図１５に示す処理では、図８に示したステップＳ３４，Ｓ３６の代わりに、ステップＳ３４ｂ，Ｓ３６ｂがそれぞれ実行される。
【０１２４】
［ステップＳ３４ｂ］画質補正制御部１４５は、照度状態変化が、すべての照度変化検出部１４１〜１４４から同時に検出されたか否かを判断する。具体的には、例えば、画質補正制御部１４５は、照度変化検出部１４１〜１４４のすべてが、照度状態変化を同時に通知し、かつ、現在の照度および照度変化量として同じ値を出力したか否かを判断する。
【０１２５】
［ステップＳ３６ｂ］時定数テーブル１６１には、照度変化フラグと照度変化量との組合せごとに、画質補正処理部１５２に対する制御値を変化させる際の時定数が設定されている。画質補正制御部１４５は、時定数テーブル１６１を参照し、ステップＳ３４ｂでの判断結果と、ステップＳ３５で選択した照度変化検出部から出力された照度変化量とに合致する時定数を、時定数テーブル１６１から抽出する。
【０１２６】
図１６は、第４の実施の形態において時定数テーブルに保持されるデータの例を示す図である。
本実施の形態の時定数テーブル１６１には、照度変化フラグと、照度変化量のレンジとの組合せごとに、時定数の演算式が設定される。図１６の時定数テーブル１６１では例として、照度変化量のレンジが３段階に分割されている。照度変化量のレンジについては、Ｇ１＞Ｇ２の関係を有している。図１６において時定数の項に設定されたＨ１，Ｈ２，Ｈ３は、Ｈ１＜Ｈ２＜Ｈ３の関係を有する。すなわち、図１６の時定数テーブル１６１では、照度変化量が小さいほど、長い時定数が設定され、画質補正量が緩やかに変化するようになる。これにより、表示画像の見え方がより自然になる。
【０１２７】
なお、図１６に示したＨ１，Ｈ２，Ｈ３は、例えば図９に示したＤ１，Ｄ２，Ｄ３とそれぞれ同じ値であってもよい。あるいは、定数であるＨ１，Ｈ２，Ｈ３の代わりに、照度変化時間の実測値が用いられてもよい。照度変化時間の測定処理は、第２の実施の形態と同様に行うことができる。
【０１２８】
また、図１６の時定数テーブル１６１では、照度変化量が同じレンジに含まれるとき、照度変化フラグが「１」である場合より、照度変化フラグが「０」である場合の方が、長い時定数が設定される。例えば、照度変化量が大きい場合であっても、照度変化フラグが「０」であるときは、照度センサ１２１〜１２４のうち一部のみが大きな照度変化を検出した状態となる。この場合、すべての照度センサ１２１〜１２４の位置を含めた広い範囲で見ると、照度センサ１２１〜１２４のすべてで大きな照度変化が検出された場合と比較して、照度は検出された照度変化量の範囲をより長い時間をかけて変化していると推定できる。あるいは、表示パネル１１０が雲や建築物の影などに一時的に入ることで、照度が一時的に変化したと推定することもできる。いずれの場合でも、表示画像における画質補正量をより緩やかに変化させることで、表示パネル１１０での表示画像が自然に見えるようになる。
【０１２９】
なお、図１６において、Ｉ１，Ｉ２，Ｉ３は、例えば、すべて同じ値であってもよい。あるいは、例えばＩ１＜Ｉ２＜Ｉ３のような関係を有していてもよい。また、時定数の数値例としては、Ｈ１として数十ミリ秒、Ｈ３＋Ｉ３として数十秒とすることができる。
【０１３０】
また、上記の第４の実施の形態でも、画質補正制御部１４５は、図１０で説明したように、制御値を照度状態の変化後の照度に対応する制御値に変化させるタイミングを、時定数の分だけ遅延させるようにしてもよい。さらに、画質補正制御部１４５は、図１５のステップＳ３８において、時定数の分だけ時間が経過した後に、ステップＳ３７で抽出した制御値を画質補正処理部１５２に出力して、画質補正量を一度に変化させてもよい。
【０１３１】
〔第５の実施の形態〕
図３に示した画像表示装置１００は、画質補正量を演算する制御回路１４０の処理機能が、表示パネル１１０と一体の装置内に設けられていたが、制御回路１４０の処理機能は、次の図１７に示すように、表示パネル１１０とは別体の装置に設けられていてもよい。
【０１３２】
図１７は、第５の実施の形態に係る画像表示システムの機能構成例を示す図である。なお、この図１７では、図３と同じ処理を実行する処理ブロックには同じ符号を付して示す。
【０１３３】
図１７において、画像表示装置２１０は、表示パネル１１０、通信Ｉ／Ｆ（インタフェース）２１１および画質補正処理回路２１２を備える。通信Ｉ／Ｆ２１１は、表示制御装置２２０との間でデータを送受信する。画質補正処理回路２１２は、図３の画質補正処理部１５２と同じ処理を実行する回路であり、表示パネル１１０に表示する画像の画質を補正する。ただし、画質補正処理回路２１２は、画質補正量の制御値と画質補正対象の入力画像の信号とを、外部の表示制御装置２２０から通信Ｉ／Ｆ２１１を介して受信する。
【０１３４】
以上の画像表示装置２１０は、例えば、カーナビゲーションシステムに含まれる表示装置や、車両のインスツルメンツパネルに搭載される各種情報表示用の表示装置などとして実現される。
【０１３５】
一方、表示制御装置２２０は、Ａ／Ｄ変換回路１３０、制御回路１４０、不揮発性メモリ１６０、画像生成回路１５１ａおよび通信Ｉ／Ｆ２２１を備える。
Ａ／Ｄ変換回路１３０は、外部に設けられた照度センサ１２１〜１２４のそれぞれによって検出された照度の検出信号を、デジタル信号に変換して、制御回路１４０に出力する。なお、照度センサ１２１〜１２４およびＡ／Ｄ変換回路１３０は、例えば、画像表示装置２１０に設けられていてもよい。この場合、制御回路１４０は、照度センサ１２１〜１２４のそれぞれによる検出信号をデジタル化した信号を、画像表示装置２１０から通信Ｉ／Ｆ２２１を介して受信してもよい。
【０１３６】
画像生成回路１５１ａは、図３の画像生成部１５１と同様の処理を実行する画像処理回路である。通信Ｉ／Ｆ２２１は、画像表示装置２１０との間でデータを送受信する。通信Ｉ／Ｆ２２１は、例えば、画像生成回路１５１ａから出力された画像信号と、制御回路１４０の画質補正制御部１４５から出力された制御値とを、画像表示装置２１０に送信する。
【０１３７】
なお、画像生成回路１５１ａは、表示制御装置２２０の外部に設けられてもよい。
図１７の表示制御装置２２０において、制御回路１４０は、前述の第２〜第４の実施の形態のいずれかの制御回路１４０と同様の処理を実行し、表示パネル１１０に表示される画像が、周囲の照度によらず、視認性が高くかつ自然に見えるように、画質補正処理回路２１２での画質補正処理を制御する。
【０１３８】
〔第６の実施の形態〕
図１８は、第６の実施の形態に係るコンピュータの構成例を示す図である。
図３に示した画像表示装置１００が実行する処理は、図１８に示すようなコンピュータ３００によって実現されてもよい。このコンピュータ３００は、ＣＰＵ３０１によって装置全体が制御されている。ＣＰＵ３０１には、バス３０２を介して、ＲＡＭ３０３と複数の周辺機器が接続されている。
【０１３９】
ＲＡＭ３０３は、コンピュータの主記憶装置として使用される。ＲＡＭ３０３には、ＣＰＵ３０１に実行させるＯＳ（Operating System）プログラムやアプリケーションプログラムの少なくとも一部が一時的に格納される。また、ＲＡＭ３０３には、ＣＰＵ３０１による処理に必要な各種データが格納される。
【０１４０】
バス３０２に接続されている周辺機器としては、ＨＤＤ３０４、グラフィックＩ／Ｆ３０５、入力Ｉ／Ｆ３０７、光学ドライブ装置３０９、ネットワークＩ／Ｆ３１０および通信Ｉ／Ｆ３１１がある。
【０１４１】
ＨＤＤ３０４は、内蔵した磁気ディスクに対して、磁気的にデータの書き込みおよび読み出しを行う。ＨＤＤ３０４は、コンピュータの二次記憶装置として使用される。ＨＤＤ３０４には、ＯＳプログラム、アプリケーションプログラム、および各種データが格納される。なお、二次記憶装置としては、フラッシュメモリなどの半導体記憶装置を使用することもできる。
【０１４２】
グラフィックＩ／Ｆ３０５には、表示パネル３０６が接続されている。グラフィックＩ／Ｆ３０５は、ＣＰＵ３０１からの命令に従って、画像を表示パネル３０６に表示させる。なお、表示パネル３０６は、コンピュータ３００の外部に設けられてもよい。
【０１４３】
入力Ｉ／Ｆ３０７には、キーボード３０８が接続されている。また、入力Ｉ／Ｆ３０７には、例えば、コンピュータ３００の外部に配置されたマウス３０７ａが接続されていてもよい。入力Ｉ／Ｆ３０７は、キーボード３０８やマウス３０７ａから送られてくる信号をＣＰＵ３０１に送信する。なお、マウス３０７ａは、ポインティングデバイスの一例であり、他のポインティングデバイスを使用することもできる。他のポインティングデバイスとしては、タッチパネル、タブレット、タッチパッド、トラックボールなどがある。
【０１４４】
光学ドライブ装置３０９は、レーザ光などを利用して、光ディスク３０９ａに記録されたデータの読み取りを行う。光ディスク３０９ａは、光の反射によって読み取り可能なようにデータが記録された可搬型の記録媒体である。光ディスク３０９ａには、ＤＶＤ（Digital Versatile Disc）、ＤＶＤ−ＲＡＭ、ＣＤ−ＲＯＭ（Compact Disc Read Only Memory）、ＣＤ−Ｒ（Recordable）／ＲＷ（Rewritable）などがある。
【０１４５】
ネットワークＩ／Ｆ３１０は、ネットワーク３２０に接続されている。ネットワークＩ／Ｆ３１０は、ネットワーク３２０を介して、他のコンピュータや通信機器との間でデータを送受信する。
【０１４６】
通信Ｉ／Ｆ３１１には、照度センサ３２１〜３２４が接続されている。通信Ｉ／Ｆ３１１は、照度センサ３２１〜３２４から出力された照度の検出値を、バス３０２を介してＣＰＵ３０１に送信する。照度センサ３２１〜３２４は、例えば、表示パネル３０６の周囲に配置される。なお、照度センサ３２１〜３２４のそれぞれは、照度の検出信号をデジタル信号に変換して通信Ｉ／Ｆ３１１に送信する。
【０１４７】
以上のコンピュータ３００では、図３に示した画像表示装置１００の制御回路１４０および画像処理回路１５０が実行する各処理が、ＣＰＵ３０１が所定のプログラムを実行することで実現される。ただし、制御回路１４０が実行する処理は、前述の第２〜第４の実施の形態のいずれかの制御回路１４０での処理であってよい。また、例えば、図３の画質補正処理部１５２の処理がグラフィックＩ／Ｆ３０５において実行され、グラフィックＩ／Ｆ３０５での画質補正処理がＣＰＵ３０１から制御されてもよい。
【０１４８】
なお、図１７に示した表示制御装置２２０および画像表示装置２１０の各処理も、図１８に示した構成のコンピュータによって実現されてもよい。
このように、上記の画像表示装置１００、表示制御装置２２０および画像表示装置２１０がそれぞれ備える処理機能は、コンピュータによって実現することができる。その場合、上記の各画像表示装置１００が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリなどがある。磁気記憶装置には、ハードディスク装置（ＨＤＤ）、フレキシブルディスク（ＦＤ）、磁気テープなどがある。光ディスクには、ＤＶＤ、ＤＶＤ−ＲＡＭ、ＣＤ−ＲＯＭ／ＲＷなどがある。光磁気記録媒体には、ＭＯ（Magneto-Optical disk）などがある。
【０１４９】
プログラムを流通させる場合には、例えば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
【０１５０】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、ネットワークを介して接続されたサーバコンピュータからプログラムが転送されるごとに、逐次、受け取ったプログラムに従った処理を実行することもできる。
【０１５１】
また、上記の処理機能の少なくとも一部を、ＤＳＰ、ＡＳＩＣ（Application Specific Integrated Circuit）、ＰＬＤ（Programmable Logic Device）などの電子回路で実現することもできる。
【０１５２】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【０１５３】
１  画像表示装置
１０  表示部
１１〜１４  照度検出部
２１  照度変化検出部
２２  画質補正部
２３  画質制御部
３１，３２  グラフ
Ａ１，Ａ２  補正量
Ｌ１，Ｌ２  時間
Ｒ１，Ｒ２  照度範囲
Ｔ１〜Ｔ４  タイミング
【図１】
2012073325.tif 000003
【図２】
2012073325.tif 000004
【図３】
2012073325.tif 000005
【図４】
2012073325.tif 000006
【図５】
2012073325.tif 000007
【図６】
2012073325.tif 000008
【図７】
2012073325.tif 000009
【図８】
2012073325.tif 000010
【図９】
2012073325.tif 000011
【図１０】
2012073325.tif 000012
【図１１】
2012073325.tif 000013
【図１２】
2012073325.tif 000014
【図１３】
2012073325.tif 000015
【図１４】
2012073325.tif 000016
【図１５】
2012073325.tif 000017
【図１６】
2012073325.tif 000018
【図１７】
2012073325.tif 000019
【図１８】
2012073325.tif 000020
【手続補正書】
【提出日】平成25年4月22日(2013.4.22)
【手続補正１】
【補正対象書類名】特許請求の範囲
【補正対象項目名】全文
【補正方法】変更
【補正の内容】
【特許請求の範囲】
【請求項１】
画像を表示する表示部と、
前記表示部における画質を補正する画質補正部と、
前記表示部の外部における照度をそれぞれ検出する複数の照度検出部から照度の検出値を取得し、各照度検出部によって検出された照度が一の照度範囲から他の照度範囲に変化したかを検出する照度変化検出部と、
前記照度変化検出部による検出結果に基づき、前記複数の照度検出部のうちの少なくとも１つによって検出された照度が前記一の照度範囲から前記他の照度範囲に変化したとき、前記画質補正部での画質補正量を前記一の照度範囲に対応する画質補正量から前記他の照度範囲に対応する画質補正量に変化させるタイミングを、検出した照度が前記一の照度範囲から前記他の照度範囲に変化した照度検出部の個数に応じて異なるタイミングとする画質制御部と、
を有することを特徴とする画像表示装置。
【請求項２】
前記画質制御部は、前記複数の照度検出部のすべてが、照度が前記一の照度範囲から前記他の照度範囲に変化したことを検出した場合より、前記複数の照度検出部のうちの一部が、照度が前記一の照度範囲から前記他の照度範囲に変化したことを検出した場合の方が、前記画質補正部での画質補正量が前記他の照度範囲に対応する画質補正量となるまでの時間を長くすることを特徴とする請求項１記載の画像表示装置。
【請求項３】
前記複数の照度検出部のうち少なくとも１つの照度検出部によって検出された照度が、前記一の照度範囲に一定時間含まれる第１の状態から前記他の照度範囲に一定時間含まれる第２の状態に変化したとき、前記画質制御部は、前記画質補正部による画質補正量を前記他の照度範囲に対応する画質補正量に変化させるタイミングを、前記第１の状態と前記第２の状態との照度差に応じてさらに異なるタイミングとすることを特徴とする請求項１または２記載の画像表示装置。
【請求項４】
前記画質制御部は、前記第１の状態と前記第２の状態との照度差が小さいほど、前記画質補正部での画質補正量が前記他の照度範囲に対応する画質補正量となるまでの時間を長くすることを特徴とする請求項３記載の画像表示装置。
【請求項５】
前記照度変化検出部は、さらに、各照度検出部によって検出された照度が前記一の照度範囲から前記他の照度範囲に変化するまでの変化時間を検出し、
前記画質制御部は、前記複数の照度検出部のうちの少なくとも１つによって検出された照度が前記一の照度範囲から前記他の照度範囲に変化したとき、前記画質補正部での画質補正量を前記他の照度範囲に対応する画質補正量に変化させるタイミングを、前記照度変化検出部によって検出された、照度が前記一の照度範囲から前記他の照度範囲に変化するまでの変化時間に応じてさらに異なるタイミングとする、
ことを特徴とする請求項１〜４のいずれか１項に記載の画像表示装置。
【請求項６】
前記画質制御部は、前記照度変化検出部によって検出された、照度が前記一の照度範囲から前記他の照度範囲に変化するまでの変化時間が長いほど、前記画質補正部での画質補正量が前記他の照度範囲に対応する画質補正量となるまでの時間を長くすることを特徴とする請求項５記載の画像表示装置。
【請求項７】
前記画質制御部は、前記画質補正部での画質補正量が前記他の照度範囲に対応する画質補正量となるまでの第１の変化時間を、前記照度変化検出部によって検出された、照度が前記一の照度範囲から前記他の照度範囲に変化するまでの第２の変化時間以上の長さとすることを特徴とする請求項６記載の画像表示装置。
【請求項８】
前記照度変化検出部は、さらに、各照度検出部によって検出された照度が上昇したか低下したかを判定し、
前記画質制御部は、前記複数の照度検出部のすべてが、照度が前記一の照度範囲から前記他の照度範囲に変化したことを検出したとき、前記照度変化検出部による判定結果に基づき、前記複数の照度検出部によって検出された照度が上昇した場合より低下した場合の方が、前記画質補正部での画質補正量が前記他の照度範囲に対応する画質補正量となるまでの時間を長くする、
ことを特徴とする請求項１〜７のいずれか１項に記載の画像表示装置。
【請求項９】
表示装置の外部における照度をそれぞれ検出する複数の照度検出部から照度の検出値を取得し、各照度検出部によって検出された照度が一の照度範囲から他の照度範囲に変化したかを検出する照度変化検出部と、
前記照度変化検出部による検出結果に基づき、前記複数の照度検出部のうちの少なくとも１つによって検出された照度が前記一の照度範囲から前記他の照度範囲に変化したとき、前記表示画像の画質補正量を前記一の照度範囲に対応する画質補正量から前記他の照度範囲に対応する画質補正量に変化させるタイミングを、検出した照度が前記一の照度範囲から前記他の照度範囲に変化した照度検出部の個数に応じて異なるタイミングとする画質制御部と、
を有することを特徴とする表示制御装置。
【請求項１０】
表示制御装置が、表示装置の外部における照度をそれぞれ検出する複数の照度検出部から照度の検出値を取得して、各前記照度検出部によって検出された照度が一の照度範囲から他の照度範囲に変化したかを検出し、
前記表示制御装置が、前記複数の照度検出部のうちの少なくとも１つによって検出された照度が前記一の照度範囲から前記他の照度範囲に変化したとき、前記表示装置に表示させる表示画像の画質補正量を前記一の照度範囲に対応する画質補正量から前記他の照度範囲に対応する画質補正量に変化させるタイミングを、検出した照度が前記一の照度範囲から前記他の照度範囲に変化した照度検出部の個数に応じて異なるタイミングとする、
ことを特徴とする表示制御方法。
【国際調査報告】
2012073325.tif 000021
2012073325.tif 000022